(57)【要約】      （修正有）【課題】受信した広告情報を表示するタイミングを制御可能な情報端末装置及び広告情報配信システムを提供する。【解決手段】情報端末装置は、施設に関する広告情報を受信する受信手段と、受信された広告情報を記憶する記憶手段と、情報端末装置の状態に基づき受信した広告情報を表示するか否かを判定する判定手段と、判定手段の判定結果に基づき広告情報を表示する表示手段とを有する。表示手段は、判定手段によって広告情報を表示可と判定されたＳ１１６とき、記憶手段から広告情報を読出しＳ１１８、広告情報を表示するＳ１２０。【選択図】図５
2016126633.tif 000002
【特許請求の範囲】
【請求項１】
施設に関する広告情報を受信する受信手段と、
前記受信手段によって受信された前記広告情報を記憶する広告記憶手段と、
情報端末装置の状態に基づき受信した広告情報を表示するか否かを判定する判定手段と、
前記判定手段の判定結果に基づき広告情報を表示する表示手段とを有し、
前記表示手段は、前記判定手段によって広告情報を表示可と判定されたとき、前記広告記憶手段から広告情報を読出して表示する、情報端末装置。
【請求項２】
現在位置を検出する位置検出手段と、
エレベータ位置、エスカレーター位置、休憩所位置の少なくとも１つを含む前記施設内の地図を記憶する地図記憶手段と、を更に備え、
前記判定手段は、前記現在位置がエレベータ位置、エスカレーター位置、休憩所位置のいずれかであるとき、前記広告情報を表示可と判定する、請求項１に記載の情報端末装置。
【請求項３】
移動速度を検知する速度検知手段を更に備え、
前記判定手段は、前記現在位置がエレベータ位置、エスカレーター位置、休憩所位置のいずれかであり、かつ、前記速度検知手段によって移動速度が一定未満であると検知された場合に、前記広告情報を表示可と判定する、請求項２に記載の情報端末装置。
【請求項４】
傾き角度を検知する角度検知手段を更に備え、
前記判定手段は、前記現在位置がエレベータ位置、エスカレーター位置、休憩所位置のいずれかであり、かつ、前記角度検知手段によって傾き角度が一定未満であると検知された場合に、前記広告情報を表示可と判定する、請求項２に記載の情報端末装置。
【請求項５】
前記広告情報は、広告情報を表示すべきエリアを識別する広告表示対象エリア情報を更に含み、
前記判定手段は、前記位置検出手段によって検出された現在地位置が前記表示すべきエリアに含まれる場合に、前記広告情報を表示可と判定する、請求項２ないし４いずれか１つに記載の情報端末装置。
【請求項６】
前記広告情報を表示可とする期間を算出する算出手段を更に備え、
前記表示手段は、前記算出手段により算出された期間の間、前記広告情報を表示する、請求項１ないし５いずれか１つに記載の情報端末装置。
【請求項７】
前記算出手段により算出された期間に基づき広告情報を選択する選択手段を更に備え、
前記表示手段は、前記選択手段により選択された前記広告情報を表示する、請求項６に記載の情報端末装置。
【請求項８】
前記選択手段は、前記算出手段により算出された期間が一定以上の場合は動画情報を選択し、一定未満の場合には静止画情報を選択する、請求項７に記載の情報端末装置。
【請求項９】
請求項１ないし８いずれか１つに記載の情報端末装置と、
前記情報端末装置に広告情報を配信可能なサーバーとを含む、広告情報表示システム。
【請求項１０】
情報端末装置において広告情報を表示する広告情報表示方法であって、
施設に関する広告情報を受信するステップと、
受信された広告情報を記憶するステップと、
情報端末装置の状態に基づき受信した広告情報を表示するか否かを判定するステップと、
広告情報が表示可と判定されたとき、記憶された広告情報を読出し、読み出された広告情報を表示するステップと、
を有する広告情報表示方法。
【発明の詳細な説明】
【技術分野】
【０００１】
本発明は、情報端末装置でアプリケーション等のソフトウエアやプログラムを実行した際に取得される広告情報の表示に関する。
【背景技術】
【０００２】
スマートフォンやタブレット型端末等、携帯型の情報端末装置が普及している。情報端末装置は、インターネット通信機能やカメラ機能などの既存機能を有していることに加え、様々なアプリケーションをインストールことにより、機能を拡充することができる。拡充できる機能としては、例えば、情報端末装置の位置情報を用いて経路案内を行うナビゲーション機能等が存在する。
【０００３】
近年では、情報端末装置の位置情報に基づき、広告情報等のコンテンツを配信する技術が存在する。特許文献１には、情報端末装置からコンテンツ配信サーバーへ位置情報を送信し、コンテンツ配信サーバーが情報端末装置から受信した位置情報に基づいて適切なコンテンツを配信する技術が開示されている。特許文献２には、配信エリア内にある通信端末を抽出し、抽出された通信端末に広告情報を配信する技術が開示されている。
【先行技術文献】
【特許文献】
【０００４】
【特許文献１】特開２０１４−６７１１５号公報
【特許文献２】特開２０１４−７１５４０号公報
【発明の概要】
【発明が解決しようとする課題】
【０００５】
従来の情報端末装置では、配信サーバーなどから受信した広告情報を、受信直後にディスプレイに表示している。このため、ユーザーは、ディスプレイに広告情報が表示されるたびに広告情報を見るために立ち止まったり、また、立ち止まる場所を探したりする必要があり、ユーザーの負担となっている。また、一般的に立ち止まることを嫌うユーザーも多く、移動しながら情報端末装置を見たり、操作をすることにより、周囲への注意を損ね、危険な場面も生じてくる。
【０００６】
本発明は、このような従来の課題を解決するものであり、受信した広告情報を表示するタイミングを制御可能な情報端末装置、広告情報配信システムおよび広告情報表示方法を提供することを目的とする。
【課題を解決するための手段】
【０００７】
本発明に係る情報端末装置は、施設に関する広告情報を受信する受信手段と、前記受信手段によって受信された前記広告情報を記憶する広告記憶手段と、情報端末装置の状態に基づき受信した広告情報を表示するか否かを判定する判定手段と、前記判定手段の判定結果に基づき広告情報を表示する表示手段とを有し、前記表示手段は、前記判定手段によって広告情報を表示可と判定されたとき、前記広告記憶手段から広告情報を読出して表示する。
【０００８】
好ましくは現在位置を検出する位置検出手段と、エレベータ位置、エスカレーター位置、休憩所位置の少なくとも１つを含む前記施設内の地図を記憶する地図記憶手段と、を更に備え、前記判定手段は、前記現在位置がエレベータ位置、エスカレーター位置、休憩所位置のいずれかであるとき、前記広告情報を表示可と判定する。好ましくは移動速度を検知する速度検知手段を更に備え、前記判定手段は、前記現在位置がエレベータ位置、エスカレーター位置、休憩所位置のいずれかであり、かつ、前記速度検知手段によって移動速度が一定未満であると検知された場合に、前記広告情報を表示可と判定する。好ましくは傾き角度を検知する角度検知手段を更に備え、前記判定手段は、前記現在位置がエレベータ位置、エスカレーター位置、休憩所位置のいずれかであり、かつ、前記角度検知手段によって傾き角度が一定未満であると検知された場合に、前記広告情報を表示可と判定する。好ましくは前記広告情報は広告情報を表示すべきエリアを識別する広告表示対象エリア情報を更に含み、前記判定手段は、前記位置検出手段によって検出された現在地位置が前記表示すべきエリアに含まれる場合に、前記広告情報を表示可と判定する。好ましくは前記広告情報を表示可とする期間を算出する算出手段を更に備え、前記表示手段は、前記算出手段により算出された期間の間、前記広告情報を表示する。好ましくは前記算出手段により算出された期間に基づき広告情報を選択する選択手段を更に備え、前記表示手段は、前記選択手段により選択された前記広告情報を表示する。好ましくは前記選択手段は、前記算出手段により算出された期間が一定以上の場合は動画情報を選択し、一定未満の場合には静止画情報を選択する。さらに本発明の広告情報表示方法は、情報端末装置において広告情報を表示するものであって、施設に関する広告情報を受信するステップと、受信された広告情報を記憶するステップと、情報端末装置の状態に基づき受信した広告情報を表示するか否かを判定するステップと、広告情報が表示可と判定されたとき、記憶された広告情報を読出し、読み出された広告情報を表示するステップとを有する。
【発明の効果】
【０００９】
本願発明によれば、情報端末装置の状態に基づき広告情報を表示するか否かを判定し、当該判定結果に基づいて広告情報の表示を制御するようにしたので、ユーザーにとって適切なタイミングで安全に落ち着いて広告情報を見ることができる。
【図面の簡単な説明】
【００１０】
【図１】第１の実施例に係る情報端末装置と広告情報配信サーバーを含む広告情報配信システムの構成例を示す図である。
【図２】第１の実施例に係る情報端末装置の構成例を示すブロック図である。
【図３】第１の実施例に係る広告情報表示プログラムの構成例を示す図である。
【図３Ａ】広告情報を格納するときに生成される管理情報を説明する図である。
【図４】第１の実施例に係る広告情報配信サーバーの広告情報配信プログラムの構成例を示すブロック図である。
【図５】第１の実施例に係る広告情報の表示動作を示すフロー図である。
【図５Ａ】第１の実施例に係る広告情報の他の表示動作を示すフロー図である。
【図６】第１の実施例による広告情報の表示例である。
【図７】情報端末装置を携帯するユーザーの具体的な動作と広告情報表示タイミングの関係を説明する図である。
【図８】広告表示対象エリア情報の判定ステップを含む第１の実施例に係る広告情報の表示動作を示すフロー図である。
【図９】第２の実施例に係る広告表示プログラムの構成例を示す図である。
【図１０】第２の実施例に係る広告情報の表示動作を示すフロー図である。
【発明を実施するための形態】
【００１１】
次に、本発明の実施の形態について図面を参照して詳細に説明する。本発明の実施の形態に係る情報端末装置は、スマートフォン、タブレット型端末、ノート型パソコン等の情報端末装置であることができる。情報端末装置の機能は、特に制限されないが、種々の機能を包含することができ、例えば、ナビゲーション機能、ＧＰＳ信号などを利用した位置情報算出機能、データ通信機能、オーディオ・ビデオデータ再生機能を有するほか、アプリケーションをインストールすることにより、種々の機能を拡充することができる。アプリケーションは、例えば、ナビゲーション機能、広告情報を取得しこれを表示する機能などである。ナビゲーション機能は、道路地図の案内、あるいは大型ショッピングモール、複合施設、駅構内などの施設の内部を案内するものであることができる。広告情報は、レストラン、店などの施設の宣伝情報、口コミ情報、位置情報、それらの画像情報、音声情報を含むことができる。
【実施例】
【００１２】
次に本発明の実施例について図面を参照して詳細に説明する。図１は、第１の実施例に係る広告情報配信システムの構成例を示す図である。同図に示すように、広告情報配信システム１は、情報端末装置１０と、広告情報配信サーバー２０−１、２０−２、…２０−ｎ（以下、総称して広告情報配信サーバー２０という）とを有し、情報端末装置１０は、インターネットまたはイントラネット等のネットワークＮＷを介して広告情報配信サーバー２０とデータの送受を行い、広告情報配信サーバー２０から受信した広告情報をディスプレイに表示することができる。例えば、情報端末装置１０は、スマートフォン（多機能型電話機）であり、スマートフォンには、配信された種々の広告情報が表示可能である。広告情報の配信または受信の方法は、特に限定されないが、１つの例では、スマートフォンにインストールされたアプリケーションを実行することで、当該アプリケーションがアクセスする広告情報配信サーバーから広告情報をダウンロードすることができる。アプリケーションは、予め決められた広告情報配信サーバーをアクセスするものであってもよいし、ユーザーから指定された広告情報配信サーバーをアクセスするものであってもよいし、あるいはスマートフォンの現在位置周辺の施設等に関連する広告情報配信サーバーをアクセスするものであってもよい。本実施例の情報端末装置１０は、受信した広告情報を表示する時間または期間を制御するタイミングを制御する表示制御機能を有する。この表示制御機能については後述する。
【００１３】
図２は、第１の実施例に係る情報端末装置１０の構成例を示すブロック図である。情報端末装置１０は、ＧＰＳ受信部１００、通信制御部１１０、入力部１２０、アプリケーション部１３０、音声出力部１４０、表示部１５０、記憶部１６０、速度検出部１７０、傾斜検出部１８０、および制御部１９０を含んで構成される。
【００１４】
ＧＰＳ受信部１００は、ＧＰＳ衛星からの信号を受信して情報端末装置１０の位置を検出する。すなわち、ＧＰＳ受信部１００で検出される位置情報は、情報端末装置１０を携帯するユーザーの位置座標である。通信制御部１１０は、外部機器やネットワークと無線通信を可能にし、１つの態様では、広告情報配信サーバー２０と無線による通信を行い、広告情報を受信する。例えば、アプリケーション部１３０のアプリケーションが実行されたとき、通信制御部１１０は、広告情報配信サーバー２０と通信をする。
【００１５】
入力部１２０は、入力キーデバイス、音声入力認識装置、タッチパネルなどにより、ユーザーからの指示を受け取り、これを制御部１９０へ提供する。アプリケーション部１３０は、情報端末装置１０にインストールされたアプリケーションの実行を可能にする。インストールされたアプリケーションは、例えば、表示部１５０にアイコンで表示され、入力部１２０からの入力操作により、任意のアプリケーションを起動させることができる。アプリケーションは、例えば、ネットワーク上のウエブ、ホームページ、サーバーなどの情報を検索する機能、広告情報を取得する機能、ナビゲーション機能、ソーシャルネットワークサービス機能、などであることができる。広告情報を取得する機能は、例えば、ナビゲーション機能に包含されるものであってもよい。例えば、ナビゲーション機能が実施されたとき、情報端末装置１０の位置から一定範囲内にある施設を識別し、当該施設に関するサーバーが既知であればそこをアクセスし、既知でなければ検索しそこをアクセスする。また、ナビゲーション機能では、ＧＰＳ受信部１００によって検出された位置座標と後述する記憶部１６０に記憶された施設内地図データベースの情報をもとに、ユーザーが施設内のどの位置にいるかを判定しても良い。さらには、施設内のエレベータにいるのか、エスカレーターにいるのか、休憩所にいるのか等、具体的な位置を判定しても良い。
【００１６】
音声出力部１４０は、スピーカーやイヤホン端子に音声を出力する。表示部１５０は、ディスプレイ等の表示手段であり、アイコン画像、広告情報、道路地図等の種々の情報を表示することができる。表示部１５０に表示されたアイコン画像に触れることで、当該アイコン画像に紐付くアプリケーションを実行することが可能である。記憶部１６０は、情報端末装置１０で実行されるアプリケーションソフトウエアや、制御部１９０が実行するプログラム、任意の施設内の地図データベース等の必要なデータを記憶することができる。
記憶部１６０に記憶される施設内の地図データベースは、施設内のエレベータ、エスカレーター、休憩所等の具体的な位置情報を記憶することができる。さらに記憶部１６０は、アプリケーションの実行などにより広告情報配信サーバー２０から配信される広告情報を逐次記憶する。
【００１７】
速度検出部１７０は、情報端末装置１０が移動する速度を検出する。速度の検出方法は任意であるが、第１の実施例では、ＧＰＳ受信部１００を搭載しているため、ＧＰＳ受信部１００で検出された絶対位置の変化割合から速度を算出することができる。あるいは、情報端末装置１０が角速度センサまたは加速度センサを搭載している場合には、それらのセンサの検出結果から速度を算出するようにしてもよい。傾斜検出部１８０は、情報端末装置１０の傾きを検出する。傾きの検出は、加速度センサ等を用いることにより検出することができる。速度検出部１７０および傾斜検出部１８０で検出された速度および傾斜は、情報端末装置の状態を表す信号として制御部１９０へ出力される。
【００１８】
制御部１９０は、マイクロプロセッサやマイクロコントローラを含み、ＲＯＭ／ＲＡＭあるいは記憶部１６０に記憶されたプログラム等を実行することにより各部を制御する。本実施例では、制御部１９０は、通信制御部１１０を通じで受信される広告情報の表示を制御する広告情報表示プログラム２００を実行する。広告情報表示プログラム２００は、例えば、広告情報を取得する機能を備えたアプリケーションが実行されたとき動作される。
【００１９】
図３は、第１の実施例に係る広告情報表示プログラムの機能的な構成を示す図である。広告情報表示プログラム２００は、広告情報要求部２１０、状態判定部２２０、広告情報取得部２３０、表示制御部２４０を含んで構成される。なお、ここに例示の広告情報表示プログラム２００は、ナビゲーション機能が実行されるアプリケーションの一部として機能し、ナビゲーション機能が実行されたとき、情報端末装置１０の周辺の施設、あるいは目的地周辺の施設等から広告情報を取得し、取得した広告情報を表示させるものとする。
【００２０】
ナビゲーション機能が実行されると、広告情報要求部２１０は、ネットワークを介して広告情報配信サーバー２０に対して広告情報の配信を要求する。広告情報要求部２１０からの要求は、広告情報配信サーバー２０が必要な広告情報を検索するために必要な情報を含むことができ、例えば、具体的なＵＲＬ、施設名称などを含むことができる。さらに当該要求は、情報端末装置１０の位置情報、あるいは情報端末装置１０で設定された目的地情報を含むことができる。広告情報配信サーバー２０は、広告情報要求部２１０からの要求に応じて、例えば、情報端末装置１０の位置周辺の施設の広告情報を配信したり、情報端末装置１０で設定された目的地に関連する広告情報を配信したり、特定されたＵＲＬの広告情報を配信する。但し、広告情報配信サーバー２０が不特定多数の情報端末装置１０に対して広告情報を同報配信するような場合には、広告情報要求部２１０による配信要求は必ずしも必要ではない。
【００２１】
広告情報要求部２１０の要求に応答して広告情報配信サーバーから受信された広告情報は、記憶部１６０に格納される。図３Ａは、広告情報の格納例を示す図である。広告情報は、テキスト情報、画像情報、音声情報を含み得る。テキスト情報は、施設等の宣伝、ユーザーの口コミなどを含み得る。画像情報や音声情報は、施設の宣伝、商品の宣伝、サービスの宣伝などを含み得る。広告情報は、記憶部１６０に格納されるとき、図３Ａに示すように、管理情報が生成され、管理情報とともに記憶される。管理情報は、広告情報を識別するための広告識別２５０、広告情報の受信日時２５２、広告情報を受信したときの情報端末装置１０の位置情報２５４、広告情報に関連する施設を識別する施設ＩＤ２５６、広告情報が表示のために読み出されたか否かを示すフラグ２５８を含むことができる。広告情報はさらに、施設ＩＤ内に広告表示対象エリア情報を含むことができる。広告表示対象エリア情報とは、広告情報を表示するエリアを識別する情報であり、例えば、フロアー（階）、エレベータ、エスカレーター、特定の区画などを識別する。広告表示対象エリア情報は、サーバーの配信時に決定される。広告表示対象エリア情報を含むことにより、例えば、情報端末装置１０の現在地にて広告情報を表示すべきか否かを判定することができる。
【００２２】
状態判定部２２０は、情報端末装置１０の状態を判定する。すなわち、状態判定部２２０は、情報端末装置１０が広告情報を表示可能な状態にあるか否かを判定する。好ましい態様では、アプリケーション部１３０によって実行され得るナビゲーション機能によって、ユーザーがエレベータ、エスカレーター、休憩所等の比較的安全に広告情報を見ることができる位置にいるときに、広告情報が表示可能であると判定する。さらに好ましい態様では、状態判定部２２０は、速度判定部２２２と傾斜判定部２２４を含む。速度判定部２２２は、速度検出部１７０の検出結果に基づき情報端末装置１０の速度の状態を判定する。傾斜判定部２２４は、傾斜検出部１８０の検出結果の基づき情報端末装置１０の傾斜の状態を判定する。１つの例では、速度判定部２２２は、情報端末装置１０の速度が一定の範囲内にあるか否かを判定する。より好ましくは、一定速度が一定時間継続されるか否かを判定する。速度判定部２２２で一定速度と判定される状況としては、例えば、ユーザーが情報端末装置１０を携帯しながらエスカレーターに搭乗している状況、エレベータに搭乗している状況、停止している状況等がある。また、他の例では、傾斜判定部２２４は、情報端末装置１０の傾斜角が水平面に対して一定の範囲内にあるか否かを判定する。より好ましくは、傾斜角が一定時間継続されたか否かを判定する。例えば、ユーザーが情報端末装置１０を携帯しながらエスカレータに搭乗したり、エレベータに搭乗したり、停止しているときに傾斜角は一定であり得る。状態判定部２２０は、ナビゲーション機能によって算出されるユーザーの位置情報や、速度判定部２２２および傾斜判定部２２４の判定結果を総合的に判定し、広告情報を表示すべきか否かを決定することができる。例えば、ユーザーがエスカレーターに搭乗中であり、情報端末装置１０が一定速度で移動しており、かつ、傾きが一定未満である場合には、ユーザーが広告情報を安全に見ることができる状況にあると判定する。なお、位置情報判定、速度判定、傾斜判定等の様々な判定があるが、状態判定部２２０で行われる判定は、これらの判定のうち任意の判定を行うことができる。
【００２３】
広告情報取得部２３０は、状態判定部２２０により広告情報を表示すると判定されたとき、広告情報を記憶部１６０から読み出す。好ましくは、図３Ａに示すフラグ２５８を参照し、広告情報が未表示のものを読み出す。未表示のものを読み出したとき、フラグを表示済にする。未表示の広告情報が複数あるとき、例えば、受信日時が古いものから順に、あるいは反対に新しいものから順に読み出すことができる。あるいは、情報端末装置１０の現在の位置から最も近い位置で受信した広告情報から読み出すようにしてもよい。
【００２４】
表示制御部２４０は、広告情報取得部２３０で取得された広告情報を表示部１５０に表示させる。また、ここには図示しないが、広告情報に音声情報が含まれる場合には、音声出力部１４０から音声を出力させる。広告情報の表示方法は、特に制限されないが、例えば、ナビゲーション機能が実行され、表示部１５０に地図が表示されている場合には、当該地図上に広告情報を表示させるようにしてもよい。より好ましくは、地図上に施設が表示され、当該施設の広告情報を表示させるとき、施設と広告情報との関連がわかるように表示させる。また、複数の広告情報を同時に表示させることができる場合には、広告情報が同時に表示されるが、それ以外の場合には、広告情報が順次切り替わるように表示されるようにしてもよい。また、広告情報の表示は、一定時間経過したとき終了させるようにしてもよいし、あるいはユーザーからの入力に応じて終了させるようにしてもよい。
【００２５】
次に、広告情報配信サーバー２０について説明する。図４は、第１の実施例に係る広告情報配信サーバー２０の制御部（図示せず）で実行される広告情報配信プログラムの構成例を示すブロック図である。広告情報配信プログラム３００は、情報端末装置１０から送信される広告情報の要求を受信する広告情報要求受信部３１０、広告情報の要求を受信したことに応答して広告情報を検索する広告情報検索部３２０、広告情報検索部３２０によって検索された広告情報を配信する広告情報配信部３３０を含んで構成される。
【００２６】
広告情報検索部３２０は、情報端末装置１０からの広告情報の要求を受け取ると、配信すべき広告情報を検索する。また、情報端末装置１０が、広告情報の要求として、位置情報を送信した場合には、広告情報検索部３２０は、受信した位置情報を元に情報端末装置１０の周辺の施設を検索し、当該施設に関連する広告情報を検索する。例えば、情報端末装置１０を携帯するユーザーが、大型ショッピングセンター内にいるとき、広告情報検索部３２０は、情報端末装置１０の位置を認識し、その周辺に存在する施設の広告情報を検索する。あるいは、広告情報検索部３２０は、情報端末装置１０で実行されているアプリケーションによって指示された情報に従い広告情報を検索する。広告情報配信部３３０は、広告情報検索部３２０で検索された広告情報を情報端末装置１０へ配信する。
【００２７】
次に、本実施例の広告情報配信システムの動作について説明する。図５は、第１の実施例に係る広告情報の表示動作を示すフロー図である。ここでは、アプリケーションとして、ナビゲーション機能が実行されるものとする。まず、ユーザーがナビゲーションのアプリケーションを起動させる（Ｓ１００）。アプリケーションの起動は、入力部１２０からのユーザー入力操作によって行われる。アプリケーションが起動されると、ＧＰＳ受信部１００で受信されたＧＰＳ信号に基づき情報端末装置１０の位置が算出され、情報端末装置１０の表示部１５０には、周辺の地図等が表示される。アプリケーションの起動に伴い、広告情報表示プログラム２００が実行され、広告情報要求部２１０は、例えば、広告情報要求として情報端末装置の位置情報を広告情報配信サーバー２０へ送信する（Ｓ１０２）。
【００２８】
広告情報配信サーバー２０の広告情報要求受信部３１０は、当該広告情報要求を受け取ると（Ｓ１０４）、次に、広告情報検索部３２０は、当該要求に応じて広告情報を検索する。広告情報要求に情報端末装置１０の位置情報や目的地情報が含まれている場合には、広告情報検索部３２０は、周辺施設や目的地に関連する広告情報を検索し、あるいはそのようなウエブサイトを検索する（Ｓ１０６）。広告情報検索部３２０によって検索された広告情報は、広告情報配信部３３０によって情報端末装置１０へ配信される（Ｓ１０８）。
【００２９】
情報端末装置１０は、広告情報配信部３３０によって配信された広告情報を受け取り、これを記憶部１６０に格納する（Ｓ１１０）。広告情報要求部２１０による要求が行われたことに応答して、あるいは広告情報を格納したことに応答して、状態判定部２２０は、広告情報を表示すべきか否かを判定する。１つの態様では、速度判定部２２２によって情報端末装置１０の速度がおおよそ一定であるか否か（Ｓ１１２）、傾斜判定部２３４によって情報端末装置１０の傾斜角がおおよそ一定であるか否か（Ｓ１１４）が判定され、両者が満足された場合には、状態判定部２２０は、広告情報を表示可と判定する（Ｓ１１６）。状態判定部２２０によって広告情報が表示可と判定されると、広告情報取得部２３０が記憶部１６０に格納された広告情報を読出し（Ｓ１１８）、読み出された広告情報が表示制御部２４０によって表示部１５０に表示される（Ｓ１２０）。この際、情報端末装置は、広告情報が表示される旨の通知、例えば通知音などを発するようにしてもよい。
【００３０】
一方、情報端末装置の速度が一定以上であるとき、あるいは情報端末装置の傾きが一定以上であるとき、ユーザーは、歩行中または走行中であり広告情報を安全に見ることができないと推定し、状態判定部２２０は、広告情報の表示不可と判定する（Ｓ１２２）。このため、未読の広告情報は記憶部１６０から読み出されず、状態判定部２２０によって広告情報を表示可と判定されるまで、広告情報の表示が抑制される。
【００３１】
図５で示した広告情報の表示動作を示すフロー図では、Ｓ１１２とＳ１１４において速度と傾きを判定することにより広告情報の表示可否判定を行っているが、これらの判定に加えて、ナビゲーション機能等によって算出されるユーザーの位置情報がエレベータ、エスカレーター、休憩所等の位置にいるか否かの判定を行っても良い。図５Ａは、第１の実施例に係る広告情報の他の表示動作を示すフロー図である。なお、Ｓ１１０より前の動作は図５に示すフローと同様であるため、図面から割愛する。他の表示動作では、ユーザーがエレベータ等の位置にいるか否かを、ＧＰＳ受信部１００等の位置情報に基づいて状態判定部２２０で判定するステップ（Ｓ１１１）を追加している。すなわち、ユーザーの位置情報がエレベータ等に位置し（Ｓ１１１）、かつ、速度および傾斜角がおおよそ一定であるとき（Ｓ１１２、Ｓ１１４）に広告情報を表示すると判定する。ユーザーの位置情報がエレベータ等に位置しない場合は、広告情報を表示不可と判定する（Ｓ１２２）。位置情報の判定は、広告情報を格納（Ｓ１１０）した後に行っているが、Ｓ１１４の前後のタイミングで行っても良い。他の表示動作では、Ｓ１１２およびＳ１１４の判定に加え、位置情報の判定（Ｓ１１１）を行い、これらを総合的に判定して広告情報の表示を判定する（Ｓ１１６）。
【００３２】
図６は、本実施例による広告表示が制御されるときの一例を示す図であり、ユーザーＭが、複数の施設が統合されたショッピングモールでエスカレーターＥを利用している様子を示している。例えば、ユーザーＭがショッピングモール内に到着し、徒歩で走行している間に、情報端末装置１０は、ショッピングモール内の各施設が配信する広告情報を受信したとする。このとき、状態判定部２２０は、情報端末装置１０の速度が一定以上であると判定し、広告情報は、その受信と同時に表示されない。その後、ユーザーＭがエスカレーターＥに搭乗したとする。エスカレーターＥに搭乗している間は、情報端末装置の移動速度が一定であり、かつ歩行による情報端末装置１０の傾きも少ないことから、地点Ａから地点Ｂまでの期間Ｔにおいて、状態判定部２２０は、広告情報を表示可と判定し、表示部１５０に広告情報が表示される。仮に、広告情報が動画であれば、期間Ｔの間、動画が再生され、期間Ｔの経過後に動画が終了される。そして、次に状態判定部２２０により広告情報の表示可の判定が成されたときに、動画が停止された部分から再生される。
【００３３】
図７は、情報端末装置１０を携帯するユーザーＭの具体的な動作と広告情報の表示タイミングの関係を説明する図である。ユーザーＭは、例えば、ショッピングモールＩの地点Ｐ１に徒歩で到達したとき、ナビゲーション機能のアプリケーションを起動させる。アプリケーションの実行により、ＧＰＳ受信部１００で受信された情報端末装置１０の位置情報が取得され、この位置情報が広告情報要求として通信制御部１１０を介して広告情報配信サーバー２０に送信される。広告情報配信サーバー２０は、情報端末装置１０にショッピングモールＩ内の施設の広告情報を配信する。
【００３４】
本実施例のような広告情報の表示制御機能を備えていない従来の情報端末装置では、広告情報を受信したタイミング、すなわち、ユーザーＭが走行中であるにもかかわらず、地点Ｐ１で広告情報を表示していた。これに対し、本実施例の情報端末装置では、ユーザーＭが安全に広告情報を見られる場所で広告情報が表示されるように制御している。安全に広告情報が見られる場所とは、例えば、エスカレーター、エレベータ、動く歩道などの自動移動手段への搭乗中である。自動移動手段に搭乗中は、情報端末装置が一定速度でありかつ傾きも少ない状況であり、状態判定部２２０により広告情報が表示可と判定される。図７の例では、エスカレーターＥに搭乗した１階（１Ｆ）の地点Ｐ２から２階（２Ｆ）の到着地点Ｐ３までの間、広告情報が表示される。地点Ｐ３より先は、ユーザーＭが歩行するため、速度が不安定になるか、または情報端末装置１０の傾きが検知され、広告情報の表示が不可と判定される。また、上記実施例では、状態判定部２２０は、情報端末装置の速度や傾斜から状態を判定する例を示したが、状態判定部２２０は、これ以外の方法を用いて状態の判定を行っても良い。例えば、上記したように、ナビゲーション機能が実行され、目的地が設定されている場合に、そのルート上に、エレベータやエスカレーターなどの自動移動手段が含まれていることが識別できる場合には、情報端末装置の位置情報に基づき自動移動手段を移動中に広告情報を表示可と判定することも可能である。
【００３５】
また、他の例として、図３Ａで示した施設ＩＤに含まれる広告表示対象エリア情報を、広告情報の表示可否判定要件に加えても良い。例えば、広告表示対象エリア情報によって識別されるエリアが２階であるとき、情報端末装置１０の現在位置が２階にあるときに広告情報が表示され、情報端末装置１０が３階へ移動したとき、広告情報の表示が終了される。さらに広告表示対象エリア情報を、広告情報の表示の加重要件に加えても良い。この場合、情報端末装置１０の現在位置が２階を過ぎて３階になってしまっていたならば、情報端末装置１０の現在位置がエレベータ等の場所であったとしても広告情報を表示しない制御を行うことができる。情報端末装置１０の現在位置と広告表示対象エリア情報との比較は、状態判定部２２０によって行っても良い。このような制御を行うことにより、ユーザーの目的に関係が無い広告情報の表示を制御することができる。図８は、広告表示対象エリア情報の判定ステップ（Ｓ１１９）を含んだ広告情報の表示動作フローを示す図である。
【００３６】
次に、本発明の第２の実施例について説明する。第１の実施例では、エスカレーターに搭乗する場合を想定し、速度および傾きを検知することにより表示制御を行う例を示したが、第２の実施例では、エスカレーター等の自動移動手段で移動する時間を算出し、算出された時間に基づいて表示制御を行う例を示す。なお、広告情報配信システム１、情報端末装置１０、広告情報配信サーバー２０の構成等は、特に記載がない場合は、第１の実施例と同様とする。
【００３７】
図９は、第２の実施例に係る広告表示プログラム２００Ａの構成例を示す図である。第２の実施例に係る広告表示プログラム２００Ａは、第１の実施例に係る広告表示プログラム２００の構成に加え、移動時間算出部２２６、画像動画選択部２２８を含んで構成される。
【００３８】
移動時間算出部２２６は、エレベータやエスカレーター等の自動移動手段で移動する時間を算出する。移動時間の算出方法は、限定されるものではないが、例えば、自動移動の平均時間を予め記憶部１６０に記憶しておき、記憶された平均時間を移動時間として利用する方法がある。この場合、自動移動手段の移動開始時は、状態判定部２２０により広告情報の表示可と判定された時点とすることができる。また、ナビゲーション機能によりルート上に自動移動手段が含まれるか否かを識別できる場合には、情報端末装置の位置が自動移動手段の搭乗地点に一致したとき、自動移動手段の開始時点とすることができる。また、目的地までのルートから目的階が分かる場合には、目的地までの所要時間から移動時間を概算で算出してもよい。目的階がわからない場合には、情報端末装置の現在位置する階と最大階の差に１フロア分の移動時間（例えば、５秒）を乗算することで移動時間を算出してもよい。１フロア分の移動時間は、予め設定された全国平均値とすることができるが、過去の移動動作に基づいて平均値を更新し、より精度の高いものにしても良い。
【００３９】
画像動画選択部２２８は、移動時間算出部２２６で算出された移動時間に基づき、広告情報に含まれる画像情報および動画情報のうちいずれを表示するか選択する。好ましくは、移動時間が一定以上長い場合は動画情報を再生し、一定時間未満の場合は画像情報を再生する選択をする。
【００４０】
図１０は、第２の実施例に係る広告情報の表示動作を示すフロー図である。図５に示すステップＳ１００からＳ１０８の次に、ステップＳ２１０が開始される。情報端末装置１０は、広告情報配信サーバー２０から配信された広告情報を格納する（Ｓ２１０）。その後、第１の実施例と同様に、速度判定部２２２および傾斜判定部２２４による判定を行い（Ｓ２１２、Ｓ２１４）、状態判定部２２０により広告情報を表示可と判定されると（Ｓ２１６）、広告情報を表示する前に、移動時間算出部２２６および画像動画選択部２２８による処理が行われる。移動時間算出部２２６は、エレベータやエスカレーター等の自動移動手段の移動時間を算出し（Ｓ２１８）、画像動画選択部２２８は、移動時間が一定以上であれば動画情報を選択し（Ｓ２２２）、一定未満であれば静止画情報を選択する（Ｓ２２４）。この選択結果に基づき広告情報取得部２２０は、動画情報または静止画情報を記憶部１６０から読出し（Ｓ２２６）、表示制御部２４０は、読み出された広告情報を表示する（Ｓ２２８）。
【００４１】
第２の実施例では、算出された移動時間の間、広告情報を表示し続けるが、例えば、再生する動画情報の再生時間が移動時間よりも短い場合は、動画の再生が終わった時点で表示を消しても良い。
【００４２】
第２の実施例では、エスカレーター等の自動移動手段で移動する時間を表示制御に用いる例を示したが、例えば、エレベータで移動する時間を表示制御に用いる場合には、移動時間算出部２２６で算出される移動時間に、途中階でのエレベータ停止時間を上乗せして算出しても良い。この場合、エレベータ停止時間は、予め決められた値とする。これにより、ユーザーがエレベータに搭乗している時間がより精密に算出されるため、適切な広告表示制御を行うことができる。また、目的階以外の階の広告情報を記憶部１６０に記憶しておき、情報端末措置１０が目的階に位置するとき、第１の実施例または第２の実施例に従い、記憶部１６０から広告情報を読出し、これを表示させるようにしてもよい
【００４３】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００４４】
１：広告情報配信システム              １０：情報端末装置
２０：広告情報配信サーバー            １００：ＧＰＳ受信部
１１０：通信制御部                      １２０：入力部
１３０：アプリケーション部              １４０：音声出力部
１５０：表示部                          １６０：記憶部
１７０：速度検出部                      １８０：傾斜検出部
１９０：制御部                          ２００：広告情報表示プログラム
２１０：広告情報要求部                  ２２０：状態判定部
２２２：速度判定部                      ２２４：傾斜判定部
２２６：移動時間算出部                  ２２８：画像動画選択部
２３０：広告情報取得部                  ２４０：表示制御部
２５０：広告識別                        ２５２：受信日時
２５４：位置情報                        ２５６：施設ＩＤ
２５８：フラグ                          ３００：広告情報配信プログラム
３１０：広告情報要求受信部              ３２０：広告情報検索部
３３０：広告情報配信部                      Ｅ：エスカレーター
Ｉ：施設                                Ｍ：ユーザー
【図１】
2016126633.tif 000003
【図２】
2016126633.tif 000004
【図３】
2016126633.tif 000005
【図３Ａ】
2016126633.tif 000006
【図４】
2016126633.tif 000007
【図５】
2016126633.tif 000008
【図５Ａ】
2016126633.tif 000009
【図６】
2016126633.tif 000010
【図７】
2016126633.tif 000011
【図８】
2016126633.tif 000012
【図９】
2016126633.tif 000013
【図１０】
2016126633.tif 000014